(57)【要約】【課題】コストダウンを達成することが可能な指針照明装置を提供する。【解決手段】連結部材４１と、受光部４２１とこの受光部４２１によって受光した光によって線状に光輝する指示部４２３とを有する指針本体４２と、この指針本体４２の所要部を覆うキャップ４３と、受光部４２１と光源３との間に設けられる蛍光フィルタ４４とを有する指針４を備え、連結部材４１に光源３からの光を受光部４２１に向けて透過する透過部４１３を形成してなる指針照明装置において、蛍光フィルタ４４を蛍光体が配合されたラバー材にて形成し、当該ラバー材からなる蛍光フィルタ４４を透過部４１３と受光部４２１との間に設けてなる。【選択図】  図２
2009156775.tif 000002
【特許請求の範囲】
【請求項１】
駆動装置の指針軸に装着される連結部材と、この連結部材を通じて前記指針軸に連結される透光性部材であって光源からの光を受光する受光部とこの受光部によって受光した光によって線状に光輝する指示部とを有する指針本体と、この指針本体の所要部を覆うキャップと、前記受光部と前記光源との間に設けられ前記光源の光の波長を変換する蛍光フィルタとを有する指針を備え、
前記連結部材に前記光源からの光を前記受光部に向けて透過する透過部を形成してなる指針照明装置において、
前記蛍光フィルタを蛍光体が配合されたラバー材にて形成し、当該ラバー材からなる前記蛍光フィルタを前記透過部と前記受光部との間に設けてなることを特徴とする指針照明装置。
【請求項２】
前記連結部材に前記蛍光フィルタを前記透過部位置に位置決めする凹部を設けてなることを特徴とする請求項１記載の指針照明装置。
【請求項３】
前記蛍光フィルタがシリコンラバーからなることを特徴とする請求項１記載の指針照明装置。
【発明の詳細な説明】
【技術分野】
【０００１】
本発明は、例えば車両用計器に適用される指針照明装置に関する。
【背景技術】
【０００２】
この種の指針照明装置として、例えば特許文献１に記載された指針照明装置が知られている。この指針照明装置は、駆動装置の指針軸に装着される連結部材と、この連結部材を通じて指針軸に連結される透光性部材であって光源からの光を受光する受光部とこの受光部によって受光した光によって線状に光輝する指示部とを有する指針本体と、この指針本体の所要部を覆うキャップとを有する指針を備えており、連結部材には、光源からの光を受光部に向けて透過する貫通孔状の透過部が形成されている。
【０００３】
また、このような指針照明装置にあっては、例えば特許文献２に記載された指針照明装置にように、受光部に光源の光の波長を変換する蛍光フィルタを設け、この蛍光フィルタを通して変換した光で、指針を照明する技術も知られている。なお蛍光フィルタが非蛍光の着色フィルタと異なる点は、非蛍光フィルタが入射光の特定の波長成分を吸収（カット）するのに対し、蛍光フィルタは入射光の特定の波長成分を他の波長成分の光（すなわち他の色）に変換する点であり、例えば青色発光ダイオードの光で指針を赤色に照明する場合に有用である。
【特許文献１】特開平０９−１０５６５０号公報（図１）
【特許文献２】特開平０８−０６７１７３号公報（図１１）
【発明の開示】
【発明が解決しようとする課題】
【０００４】
しかしながら、前記特許文献２に記載の指針照明装置では、指針の受光部に蛍光塗料を塗布することにより、蛍光フィルタを設けているため、蛍光フィルタの形成に手間がかかり、コスト高になってしまうという問題がある。これは印刷やホットスタンプによる形成手法も同様である。一方、合成樹脂基材に蛍光材を混入することにより、合成樹脂によって蛍光フィルタを設けることも考えられるが、溶融温度等の事情からやはりコスト高となってしまう。
【０００５】
本発明は前述した問題点に着目し、コストダウンを達成することが可能な指針照明装置を提供するものである。
【課題を解決するための手段】
【０００６】
本発明は、前述した課題を解決するため、駆動装置の指針軸に装着される連結部材と、この連結部材を通じて前記指針軸に連結される透光性部材であって光源からの光を受光する受光部とこの受光部によって受光した光によって線状に光輝する指示部とを有する指針本体と、この指針本体の所要部を覆うキャップと、前記受光部と前記光源との間に設けられ前記光源の光の波長を変換する蛍光フィルタとを有する指針を備え、前記連結部材に前記光源からの光を前記受光部に向けて透過する透過部を形成してなる指針照明装置において、前記蛍光フィルタを蛍光体が配合されたラバー材にて形成し、当該ラバー材からなる前記蛍光フィルタを前記透過部と前記受光部との間に設けてなることを特徴とする。
【０００７】
また本発明は、前記連結部材に前記蛍光フィルタを前記透過部位置に位置決めする凹部を設けてなることを特徴とする。
【０００８】
前記蛍光フィルタがシリコンラバーからなることを特徴とする。
【０００９】
また本発明は、発光体を有し、前記導光部は、前記入光面側よりも前記出光面側が幅広となるように前記導光面が前記発光体の発光中心軸に対して傾斜してなることを特徴とする。
【発明の効果】
【００１０】
本発明によれば、初期の目的を達成することができ、コストダウンを達成することができる。
【発明を実施するための最良の形態】
【００１１】
以下、本発明の実施の形態について添付図面を用いて説明する。
【００１２】
図１〜図３は、本発明による指針照明装置の第１の実施形態を示すもので、図１は、指針照明装置の断面図（ハッチングは省略）、図２は指針の分解側面図、図３は連結部材に組み付けられた蛍光フィルタを示す正面図である。
【００１３】
図１において、本実施形態による指針照明装置は、車両用計器に組み込まれるもので、駆動装置１と、回路基板２と、光源３と、指針４とで構成されている。なお参照符号５は表示板、同符号６はケース、同符号７は裏カバーである。
【００１４】
駆動装置１は、例えばステッピングモータからなり、回路基板２の裏側に本体部が位置し、本体部から延びる指針軸１１が回路基板２を貫通するように、回路基板２に実装されている。
【００１５】
回路基板２は、硬質基板からなり、その表面には、光源３が実装されている。
【００１６】
光源３は、例えば青色光を発する発光ダイオードからなり、その発光面が指針４を向いている。
【００１７】
指針４は、図２にも示すように、連結部材４１と、指針本体４２と、キャップ４３と、蛍光フィルタ４４とから構成されている。
【００１８】
連結部材４１は、指針軸１１と指針本体４２とを連結するもので、例えば合成樹脂からなり、指針軸１１に挿入される軸部４１１と、指針本体４２を載せる座部４１２とを有している。
【００１９】
座部４１２は、指針本体４２の後述する受光部に対応する透過部４１３を有し、この透過部４１３のみが光透過性を有する合成樹脂により形成され、座部４１２の他の部位と軸部４１１は、遮光性を有する合成樹脂により形成されている。
【００２０】
また座部４１２には、図３に示すように、透過部４１３を取り巻く周壁部４１４が形成され、この周壁部４１４と透過部４１３とによって、蛍光フィルタ４４を位置決めする凹部４１５が設けられている。
【００２１】
指針本体４２は、例えば透光性合成樹脂によって棒状に形成されており、光源３からの光を受光する受光部４２１と、この受光部４２１によって受光した光を反射する反射部４２２と、この反射部４２２によって反射された光によって線状に光輝する指示部４２３ととを有している。
【００２２】
キャップ４３は、例えば遮光性（黒色）の合成樹脂からなり、座部４１２及び座部４１２に対応する指針本体４２領域（所要部）を覆い、指示部４２３を露出するように、設けられている。
【００２３】
蛍光フィルタ４４は、蛍光体が配合されたラバー（ｒｕｂｂｅｒ）材からなり、所定の厚みを有して、凹部４１５の形状に対応した三日月形に形成されている。
【００２４】
この場合、蛍光体としては、例えば光源３の青色光を白色光に変換するＹＡＧ（イットリウム・アルミニウム・ガーネット）蛍光体が用いられ、ラバー材としてはシリコンラバーが用いられている。
【００２５】
このように構成された蛍光フィルタ４４は、凹部４１５内に位置決めされた状態で、連結部材４１と指針本体４２とキャップ４３との三者を結合することにより、透過部４１３と受光部４２１との間に設けられ、透過部４１３を経て受光部４２１に向かう光が白色となるように青色光を波長変換する。また透過部４１３の周囲で反射した光は、蛍光フィルタ４４の影響を受けずに、表示板５とキャップ４３との間から周囲に漏れ、表示板５を青色に照らし、これにより、光源３は共通で、指示部４２３は白、表示板５は青色で、それぞれ異色に照明する。
【００２６】
以上のように、本実施形態では、駆動装置１の指針軸１１に装着される連結部材４１と、この連結部材４１を通じて指針軸１１に連結される透光性部材であって光源３からの光を受光する受光部４２１とこの受光部４２１によって受光した光によって線状に光輝する指示部４２３とを有する指針本体４２と、この指針本体４２の所要部を覆うキャップ４３と、受光部４２１と光源３との間に形成され光源３の光の波長を変換する蛍光フィルタ４４とを有し、連結部材４１に光源３からの光を受光部４２１に向けて透過する透過部４１３を形成してなる指針照明装置において、蛍光フィルタ４４を蛍光体が配合されたラバー材にて形成し、当該ラバー材からなる蛍光フィルタ４４を透過部４１３と受光部４２１との間に設けてなることにより、コスト低減を達成することができる。すなわち、蛍光フィルタ４４を蛍光体が配合されたラバー材とすることで、蛍光フィルタ４４自体のコスト、及びその装着作業を用意とし、コストダウンを達成することができる。
【００２７】
また本実施形態は、連結部材４１に蛍光フィルタ４４を透過部４１３位置に位置決めする凹部４１５を設けてなることにより、蛍光フィルタ４４を容易に、しかも確実に位置決めすることができ、組み付け作業性を向上させることができる。
【００２８】
また本実施形態は、蛍光フィルタ４４がシリコンラバーからなることにより、蛍光フィルタ４４を特に安価となすことができる。
【００２９】
図３は本発明の第２の実施形態として、凹部４１５の変形例を示すもので、本実施形態では、第１の実施形態の周壁部４１４に替えて、複数の突起部４１６を透過部４１３の周囲に設けたものであり、当該実施形態によっても第１の実施形態と同様の効果を期待できる。
【００３０】
なお光源３、蛍光体、ラバー材は種々の事情に応じて任意のものを適用することができる。
【図面の簡単な説明】
【００３１】
【図１】本発明の第１の実施形態による指針照明装置の断面図。
【図２】同実施形態における指針の分解側面図。
【図３】同実施形態において連結部材に組み付けられた蛍光フィルタを示す正面図。
【図４】本発明の第２の実施形態を示す正面図。
【符号の説明】
【００３２】
１  駆動装置
２  回路基板
３  光源
４  指針
５  表示板
６  ケース
７  裏カバー
１１  指針軸
４１  連結部材
４２  指針本体
４３  キャップ
４４  蛍光フィルタ
４１１  軸部
４１２  座部
４１３  透過部
４１４  周壁部
４１５  凹部
４２１  受光部
４２２  反射部
４２３  指示部
【図１】
2009156775.tif 000003
【図２】
2009156775.tif 000004
【図３】
2009156775.tif 000005
【図４】
2009156775.tif 000006